(57)【特許請求の範囲】
【請求項１】
腹部に装着される第１ベルト（１）と、両大腿部に装着される一対の第２ベルト（２，３）と、第１ベルト（１）と各第２ベルト（２，３）をつなぎ、装着時に大腿部にそれぞれ内向きのひねり作用を与える連結部からなり、前記連結部は、第１ベルト（１）と各第２ベルト（２，３）を斜めにつなぐ一対の第３ベルト（４，５）であり、前記第３ベルト（４，５）は、大腿部に装着した第２ベルト（２，３）の後側内寄り位置と腹部に装着した第１ベルト（１）の後側外寄り位置を斜めにつなぐものであることを特徴とする腹部サポーター。
【請求項２】
腹部に装着される第１ベルト（１）と、両大腿部に装着される一対の第２ベルト（２，３）と、第１ベルト（１）と各第２ベルト（２，３）を斜めにつなぐ一対の第３ベルト（４，５）からなり、第２ベルト（２，３）と第３ベルト（４，５）は第１ベルト（１）の下で左右にほぼ対称的に配置され、かつ第３ベルト（４，５）は第１ベルト側（１）から第２ベルト（２，３）側へ互いに内向きに近接するように延びていることを特徴とする腹部サポーター。
【請求項３】
上記第３ベルト（４，５）は、大腿部に装着した第２ベルト（２，３）の後側内寄り位置と腹部に装着した第１ベルト（１）の後側外寄り位置を斜めにつなぐものであることを特徴とする請求項２に記載された腹部サポーター。
【発明の詳細な説明】
【０００１】
【発明の属する技術分野】
本発明は、たるんで出っ張った腹部を引き締める腹部サポーターに関する。
【０００２】
【従来の技術】
下腹が出っ張ったいわゆる中年太りを矯正するための腹部サポーターが種々市販されているが、従来のものはいずれも幅広のベルトを下腹部に巻いて引き締めるタイプであり、単に出っ張った下腹をそのベルトで押えつけ、外見上引き締まった体形に見えるようにしようというものである。
【０００３】
【発明が解決しようとする課題】
しかし、中年太りの人をよく観察すると、下腹が前に突き出ているだけでなく、脚が外向きに開き気味になっていて姿勢が悪く、でん部が外向きに下がり気味となっている。そして、姿勢が悪いせいか腰痛を訴える人も多い。つまり、従来のように突き出た腹を押え付けるだけでは本当に体形が矯正されたとはいえず、さらに開き気味の脚を元に戻し、好ましくはでん部を内向きに持ち上げ、これにより正しい姿勢に矯正して初めて体形の矯正が効果的に行われたことになり、それで腰痛も解消されていく。
【０００４】
本発明は、このような知見に基づいてなされたもので、装着したときに下腹が突き出た体形と悪い姿勢を同時に矯正する作用を持ち、体形の矯正が効果的に行える腹部サポーターを得ることを目的とする。
【０００５】
【課題を解決するための手段】
本発明に係る腹部サポーター（請求項１）は、腹部に装着される第１ベルトと、両大腿部に装着される一対の第２ベルトと、第１ベルトと各第２ベルトをつなぎ、装着時に大腿部にそれぞれ内向きのひねり作用を与える連結部からなり、前記連結部は第１ベルトと各第２ベルトを斜めにつなぐ一対のベルト（第３ベルト）であり、前記第３ベルトは、大腿部に装着した第２ベルトの後側内寄り位置と腹部に装着した第１ベルトの後側外寄り位置を斜めにつなぐことを特徴とする。
また、本発明に係る腹部サポーター（請求項２）は、腹部に装着される第１ベルトと、両大腿部に装着される一対の第２ベルトと、第１ベルトと各第２ベルトを斜めにつなぐ一対の第３ベルトからなり、第２ベルトと第３ベルトは第１ベルトの左右にほぼ対称的に配置され、かつ第３ベルトは第１ベルト側から第２ベルト側へ互いに内向きに近接するように延びていることを特徴とする。なお、上記第３ベルトは、好ましくは大腿部に装着した第２ベルトの後側内寄り位置と腹部に装着した第１ベルトの後側外寄り位置を斜めにつなぐ。
【０００６】
この腹部サポーターを装着すると、第１ベルトにより腹部が引き締められるだけでなく、連結部（第３ベルト）により第２ベルトを介して大腿部に内向きのひねり作用が加えられ、このとき、大腿部の筋肉が内向きにひねられて内旋し、同時に連結部（第３ベルト）により引き上げられる形になって引き締まり、これによりひざ間接を含めて脚の向きが矯正され、その結果姿勢が矯正される。また、第３ベルトを、大腿部に装着した第２ベルトの後側内寄り位置と腹部に装着した第１ベルトの後側外寄り位置を斜めにつなぐように配置すると、第３ベルトがでん部を押え筋肉を内旋させると同時に引き上げるかたちになり、さらに姿勢及び体形の矯正の効果が高い。
そして、姿勢が矯正された状態で体形が矯正されるので腰痛が解消し、長期間継続して装着しているあいだ矯正された姿勢及び体形が維持された状態で筋肉が付いてくると、この腹部サポーターの助けを借りなくても自然に矯正された姿勢及び体形を維持できるようになる。
【０００７】
【発明の実施の形態】
以下、図１〜図３を参照して、本発明を具体的に説明する。
図１及び図２に示すのは本発明に係る腹部サポーターであり、腹部に装着される第１ベルト１と、両大腿部に装着される一対の第２ベルト２、３と、第１ベルト１と各第２ベルト２、３を斜めにつなぐ一対の第３ベルト４、５からなり、第２ベルト２、３と第３ベルト４、５は第１ベルト１の下で左右に対称的に配置され、かつ第３ベルト４、５は第１ベルト１側から第２ベルト２、３側へ互いに内向きに近接するように斜め下方に延び、第２ベルトの内側端部近傍に連結している。この例ではベルトは伸縮性のある素材から一体成形されている。
また、第１ベルト１の一端と第２ベルト２、３の外側端には面ファスナー６〜８が取り付けられ、それぞれ第１ベルト１、第２ベルト２、３の表側の任意の位置に貼り付け固定できるようになっている。
【０００８】
図３はその腹部サポーターの装着状態を示すもので、（ａ）は腹側、（ｂ）は背中側からみた図である。第１ベルト１は下腹部に巻かれてこれを締め付け、第２ベルト２、３はそれぞれ大腿部に巻かれてこれを締め付け、第３ベルト４、５は大腿部に装着した第２ベルト２、３の後側内寄りの位置Ａと、下腹部に装着した第１ベルト１の後側外寄り位置Ｂを斜めにつなぎ、張った状態とされている。
【０００９】
この腹部サポーターを装着すると、第１ベルト１の緊張力で腹部が引き締められ、第３ベルト４、５が第２ベルト２、３に斜めの引張力を加え、この第２ベルト２、３により大腿部には内向き（図３（ａ）参照）のひねり作用が加えられ、ひざ間接を含めて脚全体が正しい方向を向き、大腿部の筋肉が内旋しかつ引き上げられて引き締まり、姿勢が矯正される。また、第３ベルト３、４がでん部を斜め下から押し付けるので、でん部の筋肉が内側（図３（ｂ）参照）に押され同時に引き上げられ、これによりさらに姿勢及び体形が矯正される。
【００１０】
なお、上記の例では、各ベルト１〜５は伸縮作用を持つ素材から一体成形したが、これらは一体成形したものでなくてもよいし、異なる材質のものを組み合わせることもできる。第１ベルト１及び第２ベルト２、３において、伸縮作用は締め付け作用と位置ずれの防止に有効であるが、必ずしも伸縮作用を持たなくてもよい。また、第１ベルト１及び第２ベルト２、３の少なくともその内側は滑りにくい材質からなることが好ましく、例えばネオプレンゴムを内側に張った素材、ウレタン樹脂発泡体等を挙げることができる。第３ベルトの伸縮作用は大腿部に弾性力に基づくひねり作用を与え、でん部への押し付け力や体の自由な動きへの追随性の意味からも有用であるが、必ずしも伸縮作用を持たなくてもよい。
【００１１】
次に、図４及び図５に示すのは一体成形されていない腹部サポーターの例である。
図４の腹部サポーターは、第１ベルト１１と、第２ベルト１２及び第３ベルト１４、第２ベルト１３及び第３ベルト１５の３つの部分に分かれており、第３ベルト１４、１５の上端にはそれぞれ面ファスナー１６、１７が取り付けられ、第１ベルト１１の表側に取り付けられた面ファスナー（受け部）１８、１９に貼り付けられるようになっている。この腹部サポーターは、第３ベルト１４、１５の左右の位置及び縦方向の長さを面ファスナー１６、１７と面ファスナー１８、１９の長さ及び幅の範囲内で適宜調整できるので、各人のでん部の大きさや縦の長さに合わせることができる利点がある。なお、面ファスナー２０は第１ベルト１１の他端に取り付けた面ファスナー（受け部）に貼り付けられ、面ファスナー２１、２２は面ファスナー（受け部）２３、２４に貼り付けられる。
【００１２】
図５の腹部サポーターは、第１ベルトが３１ａ、３１ｂの２つに分割されていて、それぞれに第２ベルト３２、３３及び第３ベルト３４、３５が一体に取り付けられ、第１ベルト３１ａ、３１ｂは背中側で面ファスナー３６と面ファスナー（受け部）３７により一体化できるようになっている。この腹部サポーターは、第３ベルト３４、３５の間隔を面ファスナー３７の長さの範囲内で調整できるので、各人のでん部の大きさに合わせることができる利点がある。なお、面ファスナー３８は第１ベルト３１ａの端部に取り付けた面ファスナー（受け部）に貼り付けられ、面ファスナー３９、４０は面ファスナー（受け部）４１、４２に貼り付けられる。
【００１３】
【発明の効果】
本発明の腹部サポーターは、装着したときに下腹が突き出た体形と悪い姿勢を同時に矯正する作用を持ち、体形の矯正を効果的に行うことができる。また、装着したときに体形を矯正する効果があるだけでなく、装着を継続しているあいだに筋肉が付いてくると、自然に下腹が付き出ていない引き締まった体形及び正しい姿勢が維持されるようになる。
なお、この腹部サポーターは腰痛防止の効果があるため、コルセットの代わりに装着することもできる。
【図面の簡単な説明】
【図１】  本発明に係る腹部サポーターの平面図である。
【図２】  それをやや立体的に示した図である。
【図３】  それを装着したときの図で、（ａ）は腹部側から見た図、（ｂ）は背中側からみた図である。
【図４】  本発明に係る他の腹部サポーターをやや立体的に示した図である。
【図５】  同じく本発明に係る他の腹部サポーターをやや立体的に示した図である。
【符号の説明】
１、１１  第１ベルト
２、３  第２ベルト
４、５  第３ベルト
６、７、８  面ファスナー
１１  第１ベルト
１２、１３  第２ベルト
１４、１５  第３ベルト
３１ａ、３１ｂ  第１ベルト
３２、３３  第２ベルト
３４、３５  第３ベルト
【図１】
0003850533.tif 000002
【図２】
0003850533.tif 000003
【図３】
0003850533.tif 000004
【図４】
0003850533.tif 000005
【図５】
0003850533.tif 000006